(57)【要約】【課題】剥がれや断線が生じにくく強度的に十分な電子部品モジュールユニットを得る。【解決手段】モジュールと、このモジュールが搭載されるモジュール基板と、このモジュール基板に取着されるフレキシブルプリント配線板（ＦＰＣ）と、前記モジュール基板よりも小さな外形サイズで、モジュール基板の投影面積内に位置するように前記ＦＰＣに取着されるコネクタと、から成る電子部品モジュールユニット。【選択図】図１
2006237178.tif 000002
【特許請求の範囲】
【請求項１】
入出力ピンを備えたモジュールと、
このモジュールが前記入出力ピンを介して搭載されるモジュール用基板と、
前記モジュールの入出力ピンの配置に合わせて電気的に接続され、前記モジュール用基板に取着されるフレキシブルプリント配線板と、
前記モジュール用基板よりも小さな外形サイズで、前記モジュール用基板の投影面の内側に位置するように前記フレキシブルプリント配線板に取着されるコネクタと、
から成ることを特徴とする電子部品モジュールユニット。
【請求項２】
前記モジュールが、カメラ用モジュールであることを特徴とする請求項１記載の電子部品モジュールユニット。
【請求項３】
前記フレキシブルプリント配線板は前記モジュール用基板に接着されることを特徴とする請求項１又は２に記載の電子部品モジュールユニット。
【発明の詳細な説明】
【技術分野】
【０００１】
本発明は、フレキシブルプリント配線板付きの電子部品モジュールユニットに関するものである。
【背景技術】
【０００２】
近時、多くの電子部品はモジュール化され、例えばデジタルカメラ等の小型・高密度実装機器では、モジュールに高いフレキシビリティと高屈曲特性を備えたフレキシブルプリント配線板（以下、ＦＰＣという）が取り付けられている。
【０００３】
例えば、デジタルカメラ用のカメラモジュールは、チップ実装タイプが多く、モジュール用基板に搭載されている。このタイプのカメラモジールは、ＦＰＣに直付けされている。ＦＰＣ付カメラモジュールユニットは、図４（Ａ）の上面図、（Ｂ）の断面図に示すように、モジュール用基板２に搭載したカメラモジュール本体１の底面側をＦＰＣ３の一端側に接着後、ＦＰＣ３を挟んで補強板５を取り付け、さらにカメラモジュール１とＦＰＣ３の接するコーナー部を補強接着剤６等で補強し、カメラモジュール１との境の強度を持たせていた。ＦＰＣ３の他端側、すなわち終端側には、コネクタ４が取着されている。補強板５としては、例えばガラスエポキシ樹脂材、あるいはプラスチック材等の絶縁材が使用されている。
【０００４】
このような構造に加えて、コネクタはＦＰＣに比べて重量があり、組立工程や顧客等の取り扱いが適切でない場合には、カメラモジュールの境にストレスが加わり、剥がれや断線が生じ強度的には不十分であるという問題が生じていた。
【発明の開示】
【発明が解決しようとする課題】
【０００５】
本発明の目的は、剥がれや断線が生じにくく強度的に十分な電子部品モジュールユニットを提供することにある。
【課題を解決するための手段】
【０００６】
本願発明の一態様によれば、入出力ピンを備えたモジュールと、このモジュールが前記入出力ピンを介して搭載されるモジュール用基板と、前記モジュールの入出力ピンの配置に合わせて電気的に接続され、前記モジュール用基板に取着されるフレキシブルプリント配線板と、前記モジュール用基板よりも小さな外形サイズで、前記モジュール用基板の投影面の内側に位置するように前記フレキシブルプリント配線板に取着されるコネクタと、から成る電子部品モジュールユニットが提供される。
【０００７】
また、前記フレキシブルプリント配線板は前記モジュール用基板に接着されることが好ましい。
【発明の効果】
【０００８】
本発明によれば、剥がれや断線が生じにくく強度的に十分な電子部品モジュールユニットが提供される。
【発明を実施するための最良の形態】
【０００９】
以下、本発明の実施の形態に係る電子部品モジュールユニットについて、カメラモジュールを例に、図面を参照しながら説明する。尚、各図において同一箇所については同一の符号を付すとともに、重複した説明は省略する。
【００１０】
図１は、本発明の実施の形態に係るフレキ付き基板カメラモジュールの構成を示す構成図である。図１に示すように、フレキ付き基板カメラモジュール１０は、例えばデジタルカメラや携帯端末に組み込まれるもので、レンズ光学系やイメージセンサ、レンズ制御回路等が組み込まれ,入出力ピンを備えたカメラモジュール１と、入出力ピンを介して、例えば貫入してカメラモジュール１を搭載するカメラモジュール用基板２と、カメラモジュール用基板２に入出力ピンの配置に合わせて電気的に接続して取着され、カメラモジュール１間で授受される映像信号、制御信号等を取り出すＦＰＣ３と、ＦＰＣ３に取着され、フレキ付き基板カメラモジュール１０を外部機器等に接続するためのコネクタ４とから構成されている。
【００１１】
カメラモジュール１は、オートフォーカス機能や動画手ぶれ補正機能を付加させたものでもよく、カメラモジュール用基板２に搭載されている。カメラモジュール用基板２は、例えばガラスエポキシ基板やセラミック基板を用いることができる。カメラモジュール用基板２には、カメラモジュール１の入出力ピンを貫入させるために、例えば２４ピンに対応した入出力ピン孔２１が２４個、図２（Ａ）のように形成されている。尚、図２（Ａ）は、カメラモジュール用基板２を裏側、すなわちカメラモジュール１搭載面の反対側から見た図である。
【００１２】
上述したように、カメラモジュール用基板２には、高いフレキシビリティと高屈曲特性を備えたＦＰＣ３が取り付けられている。そして、ＦＰＣ３には、電気的な接続のためのコネクタ４が取着されている。ここで、ＦＰＣ３とコネクタ４は、組み立て工程を円滑にするため、図２（Ｂ）のように例えばハンダ付とし、これらをカメラモジュール用基板２に接着することもできる。ＦＰＣ３には、カメラモジュール１の入出力ピンに対応した２４個のリード部３１と、これらリード部３１とコネクタ４と接続する配線部３２が形成されている。
【００１３】
ＦＰＣ３は、搭載されるモジュールに対応して、例えば圧延銅箔をポリイミド等のオーバーコート層、ポリイミドフィルム等のカバーフィルム層、エポキシ系のボンディングシート、シールド材で多層化したものを選択することができる。
【００１４】
コネクタ４は、カメラモジュール用基板２よりも小さな外形サイズが好適である。
【００１５】
大きすぎるとモジュールユニット全体が重くなり、小型化の要請に反するからである。さらに、コネクタ４は、カメラモジュール用基板２の投影面の内側に位置するように、ＦＰＣ３に取着される。コネクタ４は、比較的重量があるだけでなく、モジュールユニットが外部機器あるいは装置に取り付けられる際の配線の引き回し等の際、作業するための力がかかる。そこで、カメラモジュール用基板２の投影面の内側からはみ出して、コネクタ４を取着した場合には、剥がれや断線が生じやすくなるからである。
【００１６】
図２（Ｃ）はＦＰＣ３にコネクタ４を取り付け、さらに、カメラモジュール用基板２を接着した状態を示すものである。
【００１７】
尚、必ずコネクタ４がＦＰＣ３に取着された状態で、カメラモジュール用基板２に接着される必要はなく、図３に示すように、ＦＰＣ３がカメラモジュール用基板２に接着された状態で、後付でコネクタ４を取り付けてもよいことは勿論である。また、ユーザ選択による接続ピン変換のＦＰＣを接続すれば、コネクタ種類の選択の自由度が上がる。
【００１８】
ここでは、カメラモジュールを例に説明したが、これに限られず、例えばメモリモジュール、マルチチップ実装モジュール置、あるいは車載品モジュールであっても適用することができる。
【００１９】
本発明によれば、ＦＰＣに応力等のストレスが加わらない為、配線折れ等の発生が抑制できる。また、モジュールユニットの小型化が図られる。
【００２０】
本発明は上記した実施の形態に限定されることなく、特許請求の範囲に記載した発明の範囲内で、種々の変形が可能であり、それらも本発明の範囲内に含まれるものであることはいうまでもない。
【図面の簡単な説明】
【００２１】
【図１】本発明の実施の形態に係るカメラモジュールユニットの構成を示す断面図である。
【図２】カメラモジュールユニットの構成部品を説明する図である。
【図３】コネクタを後付するカメラモジュールユニットの構成を示す断面図である。
【図４】従来のカメラモジュールユニットの構成を示す図である。
【符号の説明】
【００２２】
１・・・カメラモジュール、２・・・カメラモジュール用基板、３・・・ＦＰＣ、４・・・コネクタ、５・・・補強板、６・・・補強接着剤、１０・・・フレキ付き基板カメラモジュール。
【図１】
2006237178.tif 000003
【図２】
2006237178.tif 000004
【図３】
2006237178.tif 000005
【図４】
2006237178.tif 000006